(57)【要約】【課題】  カーテン布地を透してリングテープなどの付設織物部材の縫い目から光漏れがしない意匠性にに優れたシェードカーテンなどのカーテンを提供する。【解決手段】  裏芯地２ｂと表地２ａを備えたカーテン布地２を昇降させる操作ひも１０をガイドするリングテープ３を裏芯地２ｂに取り付けたカーテンにおいて、裏芯地２ｂにリングテープ３を縫合または熱圧着して、裏芯地２ｂを表地２ａに熱圧着することで、リングテープ３と裏芯地２ｂの縫合による縫い目を表地２ａで隠し、縫い目からの光漏れを防止する。【選択図】図１
2006075429.tif 000002
【特許請求の範囲】
【請求項１】
部分的に織物部材を縫合した裏芯地を表地に熱圧着したカーテン布地を有することを特徴とするカーテン。
【請求項２】
前記裏芯地を前記表地に熱融着性接着シートを介して熱圧着したことを特徴とする請求項１に記載のカーテン。
【請求項３】
前記織物部材が、前記カーテン布地を捲り上げ下げする操作ひもが挿通されるリングを保持するリングテープであることを特徴とする請求項１または２に記載のカーテン。
【請求項４】
前記リングテープが、織物の第１テープと、この第１テープのテープ長さ方向に延在して第１テープ本体に熱圧着された第１テープより幅狭な織物の第２テープを有し、前記第１テープを前記裏芯地に縫合すると共に、前記第２テープに前記リングを係脱可能に取り付けることを特徴とする請求項３に記載のカーテン。
【請求項５】
前記第１テープの前記裏芯地側の面に、テープ長さ方向に延在させて、前記第１テープより幅狭の熱融着性接着テープを縫合したことを特徴とする請求項４に記載のカーテン。
【請求項６】
前記織物部材が、前記カーテン布地の幅方向の直線部分に荷重を掛けるタックバーを収納する横長のバー収納袋であることを特徴とする請求項１に記載のカーテン。
【請求項７】
部分的に織物部材を熱圧着した裏芯地と、当該裏芯地の前記織物部材と反対の表面側に熱圧着した表地とを備えたカーテン布地を有することを特徴とするカーテン。
【請求項８】
前記織物部材を熱融着性接着テープで前記裏芯地に熱圧着したことを特徴とする請求項７に記載のカーテン。
【請求項９】
前記織物部材が、前記カーテン布地を捲り上げ下げする操作ひもが挿通されるリングを保持するリングテープであることを特徴とする請求項７または８に記載のカーテン。
【発明の詳細な説明】
【技術分野】
【０００１】
本発明は、カーテン布地を上下に昇降させて開閉するカーテンに関する。
【背景技術】
【０００２】
ローマンシェード（プレーンシェード）やシャープシェードのようなシェードカーテンは、建造物の窓開口部の上部に設置された横長箱形のヘッドボックスからカーテン布地と操作ひも（操作コード）を吊り下げ、操作ひもを引っ張り操作などすることでカーテン布地を捲り上げ下げして窓開口部を開閉する。このシェードカーテンのカーテン布地は、織物や編物からなる表地と、織物や不織布などからなる裏芯地を部分的に縫合や熱圧着したものや、比較的厚手の表地のみと様々であり、カーテン布地を捲り上げ下げする操作ひもをカーテン布地の裏側に突設したリングに挿通して配置している（例えば、特許文献１、特許文献２参照）。
【０００３】
シェードカーテンは、横長のヘッドボックスの複数箇所から吊り下げた複数の操作ひものそれぞれを、カーテン布地に縦方向に所定間隔で一連に突設したリングに挿通することで、長い操作ひもの乱れを防止し、カーテン布地の手動による昇降操作が円滑に行えるようにしている。カーテン布地の裏側に縦方向に所定間隔をもって一連に配設する複数のリングは、専用のリングテープを使用してカーテン布地に取り付けるのが通常である。カーテン布地にリングを１個ずつ逢着することも可能であるが、リング数が多くて作業性が悪いことから、カーテン布地に縦方向に長尺なリングテープを縫合してリングテープに別体の複数のリングを着脱自在に掛け止めしている、あるいは、複数のリングを掛け止めしたリングテープをカーテン布地に縫合している。
【特許文献１】特許３４８７５７９号公報（図５）
【特許文献２】特開２００１−２２４４９１号公報（図２）
【発明の開示】
【発明が解決しようとする課題】
【０００４】
上記リングテープは量産が容易で安価であり、カーテン布地に多数の操作ひも用リングを取り付けるカーテン製作の作業性を良好なものにする。また、カーテン布地にリングテープを縫合することで、カーテン布地にリングテープが剥がれることなく強固に取り付られ、リングテープを介して重いカーテン布地をも安定して昇降させることができる。しかし、カーテン布地にリングテープを縫合してできる縫い目（ミシン目、針穴）は、透明な糸（ナイロンのモノフィラメントなど）の縫い目のために光を透すピンホールとなり、カーテン布地の生地の種類によってはカーテン布地の表側から裏側に透過（光漏れ）することがある。このような縫い目は、見た目にはほとんど分からないが、例えば、昼間に建造物の窓開口部をカーテン布地で閉じて室内を適度な暗所にする場合、明るい室外の光がカーテン布地の縫い目から室内に漏れて目立ち、カーテンの遮光性、見栄えを損なうことがある。そこで、表地と裏芯地からなるカーテン布地の場合、厚手の表地を使用してリングテープの縫い目によるピンホールを厚手の中に隠すようにしているが、厚手の表地を使用したカーテンは重量が増して手動で昇降操作するシェードカーテンには好ましくない。
【０００５】
また、シェードカーテンには、カーテン布地の幅方向の直線部分にタックバー（棒状錘部材）で荷重を掛けてカーテン布地に張りを付与するシャープシェードがあり、このシャープシェードはカーテン布地の裏側に幅方向にタックバーを収容する横長織物のバー収納袋を縫合しているが、この袋を縫合した縫い目も光漏れするピンホールとなることがある。そこで、シャープシェードにおいては、カーテン布地に部分的に突出させた襞部を設け、襞部でバー収納袋を縫合した縫い目を隠すといった工夫をしているが、このような工夫はカーテンの縫製工程を工数多い複雑なものにして、製造コストが割高となる。
【０００６】
本発明は、かかる実情に鑑みてなされたもので、その目的とするところは、カーテン布地を透してリングテープなどの縫い目から光漏れがしない商品価値に優れ、製造コストの低減が容易なカーテンを提供することにある。
【課題を解決するための手段】
【０００７】
本発明は、部分的に織物部材を縫合した裏芯地を表地に熱圧着で一体に固着したカーテン布地を有するカーテンにて、上記目的を達成するものである。
【０００８】
ここで、表地は織物又は編物であり、裏芯地は織物や編物、不織布が適用でき、裏芯地に縫合される織物部材は、カーテン布地を開閉操作するための付属部材、カーテン布地の外観を安定させるための外装部材など多種多様なものが適用でき、これを裏芯地にナイロンモノフィラメントなどの糸で縫合して、あるいは、熱圧着で一体に取り付ける。織物部材を縫合などした裏芯地を、織物部材と反対側の裏面側を表地に全面的に熱圧着すると、裏芯地と織物部材の縫い目などが表地で隠されて、縫い目からの光漏れが無くなる。このようなカーテン布地を有するカーテンはシェードカーテンの他、吊り下げた所定幅のカーテン布地を左右にスライドさせるスライドカーテンが適用できる。
【０００９】
本発明においては、裏芯地と表地の少なくとも一方に熱融着性材料を付設して織物部材付裏芯地を表地に熱圧着することの他、裏芯地を表地に熱融着性接着シートを介して熱圧着することができる。ここでの熱融着性接着シートは、安価な市販品が使用できる。また、接着シートを適度な形状に裁断するなどして、裏芯地と表地を全面的、又は、部分的に熱圧着することができて、より多様な種類のカーテンに対応することができる。
【００１０】
また、本発明においては、裏芯地に縫合する織物部材を、カーテン布地を捲り上げ下げする操作ひもが挿通されるリングを保持するリングテープにすることができる。このリングテープは、量産できる安価で長尺な織物が適用でき、テープ長さ方向に所望間隔で操作ひも用リングを保持する。カーテン布地の縦方向の長さに合わせてリングテープを切断して裏芯地に縫合することで、リングテープとリングがカーテン布地に安定した強度で取り付けられる。
【００１１】
上記リングテープは、織物の第１テープと、この第１テープのテープ長さ方向に延在して第１テープ本体に熱圧着された第１テープより幅狭な織物の第２テープを有し、第１テープを裏芯地に縫合すると共に、第２テープにリングを係脱可能に取り付ける構造とすることができる。ここでのリングテープの第２テープは、第１テープに部分的に熱圧着で接合され、第１テープに熱圧着されない第１テープから浮き上がった部所に別体のリングが係脱可能に連結される、あるいは、第２テープの第１テープが浮き上がった部所がリング状に成形されて、このリング状部分に別体のリングが連結される。このようなリングテープを裏芯地に縫合することで、多数のリングを装備するカーテン布地の製作が容易となり、製造コストの低減が図れる。
【００１２】
また、第１テープの第２テープの熱圧着面と反対の裏面側にテープ長さ方向に延在させて第１テープより幅狭の熱融着性接着テープを縫合することができる。ここでの接着テープは、リングテープを縫合した裏芯地を表地に熱圧着する際の加熱でもって融着してリングテープを裏芯地に熱圧着し、リングテープの取付強度をより大きく安定したものにする。
【００１３】
また、上記リングテープの第１テープを熱圧着性テープにして裏芯地に熱圧着することができる。さらに、上記リングテープの第１テープに熱融着性接着テープを熱圧着し、この接着テープを介してリングテープを裏芯地に熱圧着することができる。この場合、リングテープと裏芯地を接着テープで熱圧着してから裏芯地を表地に熱圧着してカーテン布地とする、あるいは、裏芯地と表地を熱圧着するときに同時にリングテープと裏芯地を接着テープで熱圧着してカーテン布地とすることができる。
【００１４】
また、リングテープを裏芯地に熱圧着する接着テープは、カーテン布地の端部を１８０°折り曲げて襞部を形成するところに、襞部を縫合して形成する代わりに熱圧着する熱融着性接着テープをカーテン布地の裏芯地端部に縫合または熱圧着しておくことができる。つまり、カーテン布地の端部の裏芯地に熱融着性接着テープを縫合または熱圧着し、カーテン布地の端部を折り曲げて、接着テープで襞部を熱圧着により形成して、襞部から縫い目をなくすことができる。
【００１５】
また、本発明においては、裏芯地に縫合する織物部材を、カーテン布地の幅方向の直線部分に荷重を掛けるタックバーを収納する横長のバー収納袋にすることができる。このバー収納袋は、既存のシャープシェードに使用されているもので、板状や棒状の錘部材であるタックバーを収納する。このバー収納袋を裏芯地に縫合して、裏芯地を表地に熱圧着すると、バー収納袋と裏芯地の縫い目が表地で隠されて、表地に襞部を設けるといった工夫をすることなく縫い目からの光漏れが無くなる。
【００１６】
この場合もバー収納袋と裏芯地を直接に熱圧着することや、バー収納袋と裏芯地を熱融着性接着テープを介して熱圧着することができ、このようにすると縫合による縫い目がに無くて、縫い目からの光漏れが無くなる。
【発明の効果】
【００１７】
本発明のカーテンによれば、裏芯地にリングテープなどの織物部材を縫合しても、裏芯地と織物部材の縫い目が裏芯地に熱圧着された表地で隠されて、縫い目からの光漏れが表地で防止されるので、縫い目からの光漏れのない見栄えのよい、実用価値に優れたローマンシェードなどのカーテンが提供できる。また、表地に裏芯地の縫い目を隠すための襞部を形成するといった縫製上にコスト高となる工夫をすることなくカーテンが製作できるので、製作コストの低減が図れるという優れた効果を奏し得る。
【発明を実施するための最良の形態】
【００１８】
以下、本発明の実施の形態を図１〜図１１を参照して説明する。
【００１９】
図１及び図２に第１の実施の形態であるシェードカーテン１を示す。このカーテン１は、室内の窓開口部（図示せず）の上部に設置された横長箱形のヘッドボックス２０からカーテン布地２と操作ひも１０を吊り下げ、操作ひも１０を引っ張り操作などすることでカーテン布地２を捲り上げ下げして窓開口部を開閉する。カーテン布地２は、織物や編物からなる表地２ａと、織物や不織布などからなる裏芯地２ｂを熱圧着したものである。表地２ａには、例えば図２に示すような水玉模様の柄２ｃが形成される。操作ひも１０はカーテン布地２の裏側に吊り下げ式に設置される。図１で左側の操作ひも１０を手動で操作すると、ヘッドボックス２０内のガイドローラやロック機構などを介してカーテン布地２が水平な状態を保って捲り上げられ、また、下げられて窓開口部の開閉が行われる。
【００２０】
このような第１の実施の形態は、カーテン布地２の裏芯地２ｂに縦方向に織物部材であるリングテープ３を縫合して、裏芯地２ｂを表地２ａに熱圧着した構造を特徴とする。図１においては、カーテン布地２の左右両端部と中央部の３箇所に３本のリングテープ３が設置され、各々に１本ずつの操作ひも１０がリングテープ３に係脱可能に掛け止められた複数のリング１１に挿通される。
【００２１】
リングテープ３は、例えば図３に示すように幅広の長尺な織物テープである第１テープ３ａと、第１テープ３ａに部分的に熱圧着で接合した第２テープ３ｂを備える。第２テープ３ｂは第１テープ３ａより幅狭で、第１テープ３ａのテープ長さ方向に延在して、第２テープ３ｂの所定間隔の複数箇所が第１テープ３ａに熱圧着により接合される。第２テープ３ｂの第１テープ３ａとの接合箇所３ｃが縦方向に定間隔で並び、隣接する接合箇所３ｃの間が第１テープ３ａと接合されない浮いた状態にあるリング取付部３ｄで、任意の１つのリング取付部３ｄに１個のリング１１が係脱可能に取り付けられる。リング１１は、第２テープ３ｂに掛け止めされる止め部１１ａと、操作ひも１０が挿通されるひもガイド部１１ｂを一体に有する樹脂成形品である。
【００２２】
リングテープ３の幅広の第１テープ３ａの例えば図３で左半分の部分を裏芯地２ｂに縫合して縫い目４ａを形成して、裏芯地２ｂを表地２ａに熱圧着する。この熱圧着は、表地２ａか裏芯地２ｂの一方に熱融着性材料を付設することで行えばよい。このようにリングテープ３を装備した裏芯地２ｂを表地２ａに熱圧着してカーテン布地２を製作すると、リングテープ３と裏芯地２ｂの縫い目４ａが表地２ａで完全に塞がれた形態となり、縫い目４ａが目立たなくなると共に、縫い目４ａからの光漏れが表地２ａで実質的に防止される。また、図２に示すように表地２ａから裏芯地２ｂの縫い目４ａが見えないので、表地２ａの柄２ｃなどが裏側の縫い目４ａや縫い目４ａからの漏れ光で阻害されることがなく、カーテンの意匠性が安定した良好なものとなる。
【００２３】
次に、他の各実施の形態を図４〜図１１に基づいて説明する。
【００２４】
図４の第２の実施の形態は、裏芯地２ｂと表地２ａを熱融着性接着シート２ｄを介し熱圧着してカーテン布地２を製作する実施例である。この場合、裏芯地２ｂと表地２ａは、熱融着性材料を付設しない通常の布地を使用すればよく、通常の布地の裏芯地２ｂにリングテープ３を縫合してから、裏芯地２ｂと表地２ａの間に接着シート２ｄを挟んで全体を加熱して熱圧着すると、三層構造のカーテン布地２が製作される。このような三層構造のカーテン布地２は、比較的に張り腰が強くて、シェードカーテンとして商品価値に優れる。
【００２５】
図５及び図６に示す第３の実施の形態のカーテンは、カーテン布地２の裏面側にタックバー６を収納する横長の織物部材であるバー収納袋５を縫合したシャープシェードに適用したものである。バー収納袋５は織物の布地を袋状に曲げ成形したもので、図６に示すように裏芯地２ｂに縫合する。バー収納袋５は、カーテン布地２の幅とほぼ同一長さの横長袋で、カーテン布地２の裏側に上下複数段に設置され、各バー収納袋５に必要に応じてリング１１が取り付けられる。
【００２６】
この第３の実施の形態においては、バー収納袋５をカーテン布地２の裏芯地２ｂのみに縫合して縫い目４ｂを形成すると共に、この裏芯地２ｂを表地２ａに熱圧着してカーテン布地２とする。このようにすればバー収納袋５と裏芯地２ｂの縫い目４ｂが表地２ａに隠されて、光漏れがなくなるなどの図１カーテンと同様な作用効果が得られる。
【００２７】
図７及び図８の第４の実施の形態に示されるカーテンは、リングテープ３の第１テープ３ａの裏面に熱融着性接着テープ７を縫合している。このリングテープ３の第１テープ３ａを裏芯地２ｂに縫合して、裏芯地２ｂを表地２ａに熱圧着してカーテン布地２を製作する。リングテープ３の第１テープ３ａに接着テープ７を縫合する箇所は、第１テープ３ａを裏芯地２ｂに縫合する箇所と同一箇所でもよいが、互いに相違させることが互いの縫合性を良好にする上で望ましい。裏芯地２ｂと表地２ａを熱圧着するときの熱で接着テープ７が第１テープ３ａと裏芯地２ｂを熱圧着接合して、リングテープ３の取付強度をより安定したものにする。また、第１テープ３ａの幅が大きくて、幅方向片側１箇所だけを裏芯地２ｂに縫合するだけでは取付強度的に安定しないような場合に、幅方向の他の片側に接着テープ７を縫合して、取付強度を安定させることができる。このような接着テープ７に形成される縫い目４ｃは、裏芯地２ｂと表地２ａの２枚で隠されて目立たず、光漏れが生じない。
【００２８】
図９（Ａ）（Ｂ）に示す第５の実施の形態は、カーテン布地２の端部を折り曲げて形成した襞部２ｆに熱融着性接着テープ８を使用している。例えば、図９（Ｂ）に示すようにカーテン布地２の裏芯地２ｂの端部に接着テープ８を縫合して縫い目４ｄを形成した状態で、裏芯地２ｂを表地に熱圧着してカーテン布地２を製作する。このカーテン布地２の端部を折り曲げて、接着テープ８で折り曲げ襞部２ｆを熱圧着成形する。この場合の縫い目４ｄもカーテン表地側から見えず、縫い目４ｄからの光漏れがない。
【００２９】
図１０に示す第６の実施の形態は、図７の熱融着生接着テープ７をリングテープ３の第１テープ３ａに（縫合せずに）熱圧着のみで一体化している。例えば、図８に示すように、第１テープ３ａの裏面側に接着テープ７を部分的に熱圧着で仮止め的に接合する。この接着テープ７を仮止めしたリングテープ３を裏芯地２ｂに接着テープ７の加熱処理で熱圧着してから、裏芯地２ｂを表地２ａに熱圧着してカーテン布地２とする。このようにすれば接着テープ７が二度にわたり熱処理されて、リングテープ３の裏芯地２ｂへの取付強度が増し、裏芯地２ｂに縫合しなくても十分な強度でリングテープ３がカーテン布地２とするに一体化される。また、熱圧着のみで縫合を行わないから、縫合による縫い目の問題が無い。
【００３０】
図１０の接着テープ７は、裏芯地２ｂに仮止めしておいて、この接着テープ７にリングテープ３を熱圧着するようにしてもよい。あるいは、図１０の分解図に示すように、表地２ａと裏芯地２ｂを重ね、この裏芯地２ｂの裏面側に接着テープ７を介してリングテープ３を重ねた状態で、全体を一度の熱処理で熱圧着してカーテン布地２とすることも可能である。このような接着テープ７の用途は、図９に示す接着テープ８においても同様に可能である。
【００３１】
なお、本発明のカーテンは、上記した実施の形態に限定されるものではなく、本発明の要旨を逸脱しない範囲内において種々変更を加え得ることは勿論である。
【図面の簡単な説明】
【００３２】
【図１】第１の実施の形態を示すカーテンの一部省略及び一部拡大図を含む裏面図である。
【図２】図１のカーテンの正面図である。
【図３】図１のカーテンの要部の拡大分解斜視図である。
【図４】第２の実施の形態におけるカーテンの要部の分解斜視図である。
【図５】第３の実施の形態を示すカーテンの一部拡大図を含む裏面図である。
【図６】図５のカーテンの要部の拡大分解斜視図である。
【図７】第４の実施の形態におけるカーテンの要部の分解斜視図である。
【図８】図７のカーテンの部分断面図である。
【図９】第５の実施の形態におけるカーテンの部分斜視図で、（Ａ）は襞部形成時、（Ｂ）は形成前の図である。
【図１０】第６の実施の形態におけるカーテンの分解斜視図である。
【図１１】図１０のカーテンの一部の斜視図である。
【符号の説明】
【００３３】
１    カーテン
２    カーテン布地
２ｄ    熱融着性接着シート
２ａ    表地
２ｂ    裏芯地
２ｆ    襞部
３    織物部材、リングテープ
３ａ    第１テープ
３ｂ    第２テープ
４ａ〜４ｄ    縫い目
５    織物部材、バー収納袋
６    タックバー
７    熱融着性接着テープ
８    熱融着性接着テープ
１１    リング
【図１】
2006075429.tif 000003
【図２】
2006075429.tif 000004
【図３】
2006075429.tif 000005
【図４】
2006075429.tif 000006
【図５】
2006075429.tif 000007
【図６】
2006075429.tif 000008
【図７】
2006075429.tif 000009
【図８】
2006075429.tif 000010
【図９】
2006075429.tif 000011
【図１０】
2006075429.tif 000012
【図１１】
2006075429.tif 000013